(57)【要約】【課題】翼後縁部とベルマウスとの軸方向の位置関係を最適にすることで翼後縁部の整流化を図り、送風騒音の増加を抑えることができる軸流送風機を備えた空気調和装置の室外機を提供する。【解決手段】翼後縁部２２の輪郭線が翼前縁方向に凹状に形成された翼１０ｂを、ハブ１０ａの外周面に沿って所定の間隔を在して複数配置して形成される軸流ファン１０と、前記軸流ファン１０による空気吹出し側に配置されるベルマウス９とを有する軸流送風機８であって、前記翼後縁２２の輪郭線の最も凹んだ点を点Ｇとし、この点と前記ベルマウス９の空気流出面９ａとの距離をＸとし、前記ベルマウス９の軸方向長さをＬとしたとき、Ｘ／Ｌが０．２〜０．８の範囲となるように前記ベルマウス９と前記軸流ファン８とを配置した。【選択図】図４
2004301451.tif 000002
【特許請求の範囲】
【請求項１】
翼後縁部の輪郭線が翼前縁方向に凹状に形成された翼を、ハブの外周面に沿って所定の間隔を存して複数配置して形成される軸流ファンと、前記軸流ファンによる空気吹出し側に配置されるベルマウスとを有する空気調和装置の室外機であって、前記翼後縁の輪郭線の最も凹んだ点を点Ｇとし、この点Ｇと前記ベルマウスの空気流出面との距離をＸとし、前記ベルマウスの軸方向長さをＬとしたとき、Ｘ／Ｌが０．２〜０．８の範囲となるように前記ベルマウスと前記軸流ファンとを配置したことを特徴とする空気調和装置の室外機。
【請求項２】
翼後縁部の輪郭線が翼前縁方向に凹状に形成された翼を、ハブの外周面に沿って所定の間隔を存して複数配置して形成される軸流ファンと、前記軸流ファンによる空気吹出し側に配置されるベルマウスとを有する空気調和装置の室外機であって、前記翼の円周方向の輪郭線と前記翼後縁部の輪郭線とが交差する点を点Ｑとし、この点Ｑと前記ベルマウスの空気流出面との距離をＹとし、前記ベルマウスの軸方向長さをＬとしたとき、Ｙ／Ｌが０．３〜０．９の範囲となるように前記ベルマウスと前記軸流ファンとを配置したことを特徴とする空気調和装置の室外機。
【請求項３】
前記翼後縁部の輪郭線の凹形状は、円弧状に形成されることを特徴とする請求項１または請求項２に記載の空気調和装置の室外機。
【発明の詳細な説明】
【０００１】
【発明の属する技術分野】
本発明は、空気調和機の室外機に使用される軸流送風機の構造に関する。
【０００２】
【従来の技術】
従来、空気調和装置の室外機は、吹出し口にベルマウスを設け、このベルマウスの空気流入方向に、回転ハブの外周面に沿って翼を所定の間隔を存して複数配置して形成される軸流ファンが配置されている。
この軸流ファンの回転に伴って空気は軸方向に送風され、翼の前縁部が空気の導入方向となり、翼の後縁部が空気の流出方向となる。
【０００３】
近年、送風風量の増加と、電動機負荷の低減するために、翼前縁部と翼外周部が交わる角部が回転方向側に大きく突出する一方で、後縁部の輪郭線が空気入流方向に凹状に形成された軸流ファンが用いられている。（例えば、特許文献１参照）。
上記の軸流ファンにおいては、翼後縁部を略直線状に形成した場合に比べて、翼後縁部後流で生じる渦の発生を低減することができ、送風騒音低減と電動機負荷低減の効果が得られる。
【０００４】
【特許文献１】
特開２００２−２５７０８８号公報
【０００５】
【発明が解決しようとする課題】
しかしながら、従来の軸流ファンでは、翼後縁部の輪郭線が、ベルマウスの空気流入面の側周端よりも空気導入方向に位置しているために、翼後縁部より流出する空気が前記ベルマウスの空気流入面の周端部に衝突して渦が発生し、送風騒音が増大していた。
【０００６】
本発明は、上記事情を考慮してなされたものであり、その目的は、翼後縁部とベルマウスとの軸方向の位置関係を最適にすることで翼後縁部の整流化を図り、送風騒音の増加を抑えることができる軸流送風機を備えた空気調和装置の室外機を提供することにある。
【０００７】
【課題を解決するための手段】
上記課題を解決するため、本発明の請求項１に係る発明は、翼後縁部の輪郭線が翼前縁方向に凹状に形成された翼を、ハブの外周面に沿って所定の間隔を在して複数配置して形成される軸流ファンと、前記軸流ファンによる空気吹出し側に配置されるベルマウスとを有する空気調和装置の室外機であって、前記翼後縁の輪郭線の最も凹んだ点を点Ｇとし、この点Ｇと前記ベルマウスの空気流出面との距離をＸとし、前記ベルマウスの軸方向長さをＬとしたとき、Ｘ／Ｌが０．２〜０．８の範囲となるように前記ベルマウスと前記軸流ファンとを配置した。
【０００８】
請求項２に係る発明は、翼後縁部の輪郭線が翼前縁方向に凹状に形成された翼を、ハブの外周面に沿って所定の間隔を在して複数配置して形成される軸流ファンと、前記軸流ファンによる空気吹出し側に配置されるベルマウスとを有する軸流送風機であって、前記翼の円周方向の輪郭線と前記翼後縁部の輪郭線とが交差する点を点Ｑとし、この点Ｑと前記ベルマウスの空気流出面との距離をＹとし、前記ベルマウスの軸方向長さをＬとしたとき、Ｙ／Ｌが０．３〜０．９の範囲となるように前記ベルマウスと前記軸流ファンとを配置した。
【０００９】
請求項３に係る発明は、前記翼後縁部の輪郭線の凹形状を円弧状に形成した。
【００１０】
【発明の実施の形態】
以下、本発明に係る実施の形態を図１〜図８に基づいて説明する。
図１は，一般的な空気調和装置の室外ユニットの断面図であり、この図１において、１は空気調和装置の室外ユニットを示している。
この室外ユニット１は図示しない室内ユニットと接続して使用され、室外の床面に配置される底板２と、この底板２上に配置される後述の構成部品と、吹出し口４及びこの吹出し口４を覆うファンガード５を有し、上記構成部品および底板２を覆うように設けられる本体カバー３とで構成されている。
【００１１】
室外ユニット１はその内部に、構成部品として、冷凍サイクルに冷媒を循環させる圧縮機６と、冷媒が流れる伝熱管に所定の間隔を有して板状放熱フィンが積層された室外熱交換器７等の冷凍サイクル部品と、室外熱交換器７に室外空気を送る送風機８と、吹出し口４に設けら得たベルマウス９とを有している。
【００１２】
上記送風機８は、軸流ファン１０と、ファン用モータ１１とからなり、室外熱交換器７とベルマウス９との間に設けられている。
上記ファン用モータ１１は、底板２に設けられたモータ固定板１１ａにネジ等の固定具で取り付けられている。
ここで、上記構成部品は、軸流ファン１０により生じる空気の流れの上流側から、室外熱交換器７、ファン用モータ１１、軸流ファン１０、ベルマウス９の順に軸方向に並んで配置される。
【００１３】
図２は、本発明の軸流ファン１０を翼１０ｂの正圧面側から見たときの全体構成を示す平面図であり，図３は図２の１つの翼１０ｂを拡大して示した図である。
軸流ファン１０は、円筒状のハブ１０ａの外周面側面に、複数枚の翼１０ｂを例えば周方向等分位置にて一体ないし一体的に取り付けており、例えば樹脂モールド成形等により一体に成形される。
ハブ１０ａには、その中心部にファン用モータ１１の回転軸が挿入固定されており、軸流ファン１０は、ファン用モータ１１により矢印Ｍ方向に回転される。
【００１４】
上記翼１０ｂのハブ１０ａと一体に連設される部分を根元部２０と呼び、回転前側を翼前縁部２１と呼び、回転後側を翼後縁部２２と呼び、これら翼前縁部２１外周端部と翼後縁２２外周端部を結ぶ端部を翼外周部２３と呼ぶ。
また、軸流ファン１０の回転にともなう翼１０ｂ上の空気の流れを基準にすると、上記翼前縁部２１が空気の導入方向であり、上記翼後縁部２２が空気の流出方向である。
【００１５】
上記翼前縁部２１は、根元部２０から翼外周部２３にむけて回転方向へ大きく突出しており、上記翼後縁部２２の輪郭線は、空気の流出方向とは反対の導入方向に凹んだ円弧状の凹状に形成されている。
そして、上記翼後縁部２２と翼外周部２３とで形成される角部は、空気の流出方向に膨出した凸状の膨出部２４が形成されている。
【００１６】
上記軸流ファン１０の回転により、空気は室外機内部に吸込まれ、室外熱交換器７、軸流ファン１０、ベルマウス９を順に介してファンガード５から室外機１外部へ排出される。
【００１７】
図４は、軸流ファン１０とベルマウス９との位置関係を示す図であり、ベルマウス９は、本体カバー３の吹出し口４の周囲に設けられ、その軸方向において軸流ファン１０の翼後縁部２２と対向している。
ここで、翼１０ｂの翼後縁部２２は、ベルマウス９と軸方向に完全にラップするように配置されている。
【００１８】
図５は、図４において翼１０ｂの翼後縁部２２の最も凹んだ点を点Ｇとし、この点Ｇとベルマウス９の空気流出面９ｂとの距離をＸとし、ベルマウス９の軸方向長さをＬとしたときの、Ｘ／Ｌと送風騒音との関係を示す線図である。
図５に示されるように、点Ｇからベルマウス空気流出面９ｂまでの長さＸが、ベルマウス９の軸方向長さＬの約２０％から８０％（０．２Ｌ〜０．８Ｌ）に至る範囲に軸流ファン１０及びベルマウス９を配置することにより、送風騒音が減少し、特に５０％付近で送風騒音が最小になり、上記の範囲にＸを設定することが送風騒音を低減するために有効であることが実験的に判明した。
これにより、翼後縁部２２より流出した空気がベルマウス９の空気流入面９ａの周端部と衝突することによって発生する渦を抑制することができ、この渦による送風騒音を低減することができる。
【００１９】
次に、本発明に係わる空気調和装置の室外機の第２の実施の形態について説明する。
この第２の実施の形態の各部について、図４の第１の実施の形態の各部と同一部分は同一符号で示し、その説明を省略する。
この第２の実施の形態においては、翼１０ｂの膨出部２４がベルマウス９の空気流出面９ｂから軸方向に突出しないように配置されている。
【００２０】
図６は、翼１０ｂの翼外周部２３と前記翼後縁部２２とが交差する点を点Ｑとし、この点Ｑとベルマウス９の空気流出面９ａとの距離をＹとし、ベルマウス９の軸方向長さをＬとしたときの、Ｙ／Ｌと送風騒音との関係を示す線図である。
図６に示されるように、点Ｑからベルマウス空気流出面９ｂまでの長さＹが、ベルマウス９の軸方向長さＬの約３０％から９０％（０．３Ｌ〜０．９Ｌ）に至る範囲に軸流ファン１０及びベルマウス９を配置することにより、送風騒音が減少し、特に６０％付近で送風騒音が最小になり、上記の範囲にＹを設定することが送風騒音を低減するために有効であることが実験的に判明した。
これにより、膨出部２４から流出した空気が軸流ファン１０の後流側のファンガード５と衝突することによって発生する渦を抑制することができ、この渦による送風騒音を低減することができる。
【００２１】
次に、本発明に係わる空気調和装置の室外機の第３の実施の形態について図７を用いて説明する。
この第３の実施の形態の各部について、図３の第１の実施の形態の各部と同一部分は同一符号で示し、その説明を省略する。
本第３の実施の形態は、上記第１の実施の形態に用いられる軸流ファンに翼後縁部の輪郭線が略Ｖ字状の凹状に形成された軸流ファンを用いるものである。
図７に示すように、軸流ファン１０は、翼後縁部２２の輪郭線が、空気の流出方向とは反対の導入方向に凹んだ略Ｖ字状の凹状に形成されている。
ここで、Ｖ字状の頂点Ｚが、上記第１の実施の形態における点Ｇに相当し、Ｖ字状の後縁部２２と翼外周部２３とが交差する点Ｑ１が、上記第１の実施の形態における点Ｑに相当する。
このような形状においても、上記第１の実施の形態と同等の効果が得られる。
【００２２】
次に、本発明に係わる空気調和装置の室外機の第４の実施の形態について図８を用いて説明する。
この第４の実施の形態の各部について、図３の第１の実施の形態の各部と同一部分は同一符号で示し、その説明を省略する。
本第４の実施の形態は、上記第１の実施の形態に用いられる軸流ファンに翼後縁部の輪郭線が台形状の凹状に形成された軸流ファンを用いるものである。
図８に示すように、軸流ファン１０は、翼後縁部２２の輪郭線が、空気の流出方向とは反対の導入方向に凹んだ台形状の凹状に形成されている。
ここで、台形状の上辺Ｕが、上記第１の実施の形態における点Ｇに相当し、台形状の後縁部２２と翼外周部２３とが交差する点Ｑ２が、上記第１の実施の形態における点Ｑに相当する。
このような形状においても、上記第１の実施の形態と同等の効果が得られる。
【発明の効果】
以上説明したように、本発明によれば、空気調和装置の室外機において、翼後縁部に発生する渦を抑制して、送風騒音を低減することのできる軸流送風機を備えた空気調和装置の室外機を提供することができる。
【図面の簡単な説明】
【図１】本発明に係る空気調和装置の室外機の断面図。
【図２】本発明に係る軸流ファンを翼の正圧面側から見たときの全体構成を示す平面図。
【図３】図２に示した軸流ファンの一つの翼を拡大して示した図。
【図４】本発明に係る軸流ファンとベルマウスの位置関係を示した図。
【図５】Ｘ／Ｌと送風騒音との関係を示す線図。
【図６】Ｙ／Ｌと送風騒音との関係を示す線図。
【図７】第３実施形態に係るの軸流ファンを翼の一つの翼を拡大して示した図。
【図８】第４実施形態に係るの軸流ファンを翼の一つの翼を拡大して示した図。
【符号の説明】
９…ベルマウス、１０…軸流ファン、１０ａ…ハブ、１０ｂ…翼、２２…翼後縁部
【図１】
2004301451.tif 000003
【図２】
2004301451.tif 000004
【図３】
2004301451.tif 000005
【図４】
2004301451.tif 000006
【図５】
2004301451.tif 000007
【図６】
2004301451.tif 000008
【図７】
2004301451.tif 000009
【図８】
2004301451.tif 000010